(57)【要約】【課題】操作性を損なうことなく、吸込口体を持ち上げたり左右に動かしたりする操作を容易に行うことができる電気掃除機を提供する。【解決手段】電気掃除機１は、吸込口体６と操作体４とを備える。吸込口体６は、下向きに形成された開口から、ごみを空気と一緒に吸い込む。操作体４は、使用者が吸込口体６を操作するためのものである。操作体４は、把持部１５と腕支持部１６とを備える。把持部１５は、使用者が握る部分である。腕支持部１６は、把持部１５の側方で使用者の腕を支持する。腕支持部１６は、把持部１５を握った使用者の腕のうち、手首と肘との間の部分を支持する。【選択図】図１
2014087487.tif 000002
【特許請求の範囲】
【請求項１】
ごみを空気と一緒に吸い込むための吸込部と、
使用者が前記吸込部を操作するための操作体と、
を備え、
前記操作体は、
使用者が握るための把持部と、
前記把持部の側方で、前記把持部を握った使用者の腕のうち、手首と肘との間の部分を支持する腕支持部と、
を備えた電気掃除機。
【請求項２】
前記腕支持部は、前記把持部の右側又は左側に突出し、前記把持部の側方で、前記把持部を握った使用者の腕を下方から支持する請求項１に記載の電気掃除機。
【請求項３】
前記腕支持部は、前記把持部の右側に突出する位置と左側に突出する位置とに切り替えて固定可能な請求項２に記載の電気掃除機。
【請求項４】
前記腕支持部は、前記把持部の上方に突出する位置に固定可能な請求項３に記載の電気掃除機。
【請求項５】
前記腕支持部は、軸を介して前記把持部に設けられ、前記軸を中心に回転されることにより、前記把持部の右側に突出する位置と左側に突出する位置とに配置可能な請求項３又は請求項４に記載の電気掃除機。
【請求項６】
前記腕支持部は、使用者の腕に当たる面が凹状に湾曲する請求項１から請求項５の何れか一項に記載の電気掃除機。
【請求項７】
前記腕支持部は、使用者の腕に当たる面が軟質部材で形成された請求項１から請求項６の何れか一項に記載の電気掃除機。
【請求項８】
前記把持部は、
下側把持部と、
前記下側把持部の上方に配置された上側把持部と、
を備えた請求項１から請求項７の何れか一項に記載の電気掃除機。
【請求項９】
前記把持部は、
管体から分岐するように形成された下側把持部及び上側把持部と、
を備え、
前記管体及び前記下側把持部は、内部に、前記吸込部から吸い込まれた含塵空気が通過する風路が形成され、
前記上側把持部は、前記下側把持部の上方に配置された
請求項１から請求項７の何れか一項に記載の電気掃除機。
【請求項１０】
前記把持部は、
前記下側把持部の端部及び前記上側把持部の端部を連結する連結部と、
を備えた請求項８又は請求項９に記載の電気掃除機。
【請求項１１】
前記腕支持部は、前記連結部に設けられた請求項１０に記載の電気掃除機。
【請求項１２】
前記管体から前記下側把持部と前記上側把持部とに分岐する部分に、前記下側把持部から前記上側把持部に渡る窪みが形成された請求項９に記載の電気掃除機。
【請求項１３】
前記下側把持部は、下向きの外面に、前記吸込部の方向を向く傾斜面が形成された請求項８又は請求項９に記載の電気掃除機。
【請求項１４】
前記下側把持部は、前記傾斜面に、使用者が指を掛けるための凸部又は凹部が形成された請求項１３に記載の電気掃除機。
【請求項１５】
前記下側把持部は、一部が、排気側に向かうに従って徐々に太くなる請求項８又は請求項９に記載の電気掃除機。
【請求項１６】
前記下側把持部は、外面に複数の突起或いは複数の窪みが形成された、又は、内部の材料より硬度が低い材料で覆われた請求項８又は請求項９に記載の電気掃除機。
【請求項１７】
前記腕支持部は、前記把持部に対して着脱可能に設けられた請求項１から請求項１６の何れか一項に記載の電気掃除機。
【請求項１８】
前記吸込部は、下向きに形成された開口からごみを空気と一緒に吸い込むための吸込口体であり、
該吸込口体は、
前記開口が形成された本体と、
円筒状の接続管と、
前記本体及び前記接続管を連結する連結管と、
を備え、
前記連結管は、前記接続管が上下に変位するように、水平な第１軸を介して前記本体に設けられ、
前記接続管は、ある角度で斜めに配置された際に水平になる第２軸を中心に回転可能となるように、前記連結管に設けられ、
前記管体から前記下側把持部と前記上側把持部とに分岐する部分は、前記接続管の中心軸の延長線上に配置された
請求項９に記載の電気掃除機。
【請求項１９】
前記操作体は、
前記把持部に接続された管体と、
を備え、
前記管体と前記把持部とは、全体として中央部で折れ曲がった筒状を呈し、
前記吸込部は、下向きに形成された開口からごみを空気と一緒に吸い込むための吸込口体であり、
該吸込口体は、
前記開口が形成された本体と、
円筒状の接続管と、
前記本体及び前記接続管を連結する連結管と、
を備え、
前記連結管は、前記接続管が上下に変位するように、水平な第１軸を介して前記本体に設けられ、
前記接続管は、ある角度で斜めに配置された際に水平になる第２軸を中心に回転可能となるように、前記連結管に設けられ、
前記管体と前記把持部とが接続する部分は、前記接続管の中心軸の延長線上に配置された
請求項１から請求項７の何れか一項に記載の電気掃除機。
【発明の詳細な説明】
【技術分野】
【０００１】
この発明は、電気掃除機に関するものである。
【背景技術】
【０００２】
特許文献１及び２（図５乃至図７）に、キャニスタータイプの電気掃除機が開示されている。特許文献１及び２に記載された電気掃除機は、掃除を行う際に使用者が掴むためのハンドルを備える。特許文献１に記載されたものでは、ハンドルの端部に、サポート部が設けられている。特許文献２に記載されたものでは、ハンドルの後方に、サポート部が設けられている。
【先行技術文献】
【特許文献】
【０００３】
【特許文献１】特開２００９−１９５３５８号公報
【特許文献２】特開２００３−２６５３８３号公報
【発明の概要】
【発明が解決しようとする課題】
【０００４】
電気掃除機のハンドルは、一般に握る部分が細く、掃除の際に手が疲れ易い。
特許文献１に記載された電気掃除機では、使用者がハンドルを握った際に、使用者の手のうち、小指から手首までの部分にしかサポート部が当たらない。握った手からサポート部までの距離が短く、労力を低減する効果があまりなかった。
【０００５】
特許文献２に記載された電気掃除機では、サポート部がハンドルの後方に大きく突出する。サポート部が長く、掃除の際に邪魔になったり、取り扱いが困難になったりするといった問題があった。
【０００６】
この発明は、上述のような課題を解決するためになされたもので、その目的は、操作性を損なうことなく、下向きに形成された開口からごみと空気とを一緒に吸い込むための吸込口体等を含む吸込部を持ち上げたり左右に動かしたりする操作を容易に行うことができる電気掃除機を提供することである。
【課題を解決するための手段】
【０００７】
この発明に係る電気掃除機は、ごみを空気と一緒に吸い込むための吸込部と、使用者が吸込部を操作するための操作体と、を備え、操作体は、使用者が握るための把持部と、把持部の側方で、把持部を握った使用者の腕のうち、手首と肘との間の部分を支持する腕支持部と、を備えたものである。
【発明の効果】
【０００８】
この発明に係る電気掃除機であれば、操作性が損なわれることはなく、且つ、吸込部を持ち上げたり左右に動かしたりする操作を容易に行うことができるようになる。
【図面の簡単な説明】
【０００９】
【図１】この発明の実施の形態１における電気掃除機を示す斜視図である。
【図２】この発明の実施の形態１における電気掃除機の要部を示す側面図である。
【図３】電気掃除機を使用する時の状態を示す図である。
【図４】図３の状態を側方から見た図である。
【図５】図３の状態を側方から見た図である。
【図６】この発明の実施の形態１における電気掃除機の他の状態を示す斜視図である。
【図７】図６に示す電気掃除機の要部を拡大した図である。
【図８】この発明の実施の形態１における電気掃除機の他の状態を示す斜視図である。
【図９】図８に示す電気掃除機の要部を示す側面図である。
【図１０】図８に示す電気掃除機の要部を拡大した図である。
【図１１】電気掃除機を使用する時の状態を示す図である。
【図１２】電気掃除機の他の構成例を示す斜視図である。
【図１３】電気掃除機の他の構成例を示す側面図である。
【図１４】電気掃除機の他の構成例を示す斜視図である。
【図１５】電気掃除機の他の構成例を示す斜視図である。
【図１６】電気掃除機の他の構成例を示す斜視図である。
【図１７】この発明の実施の形態２における電気掃除機を示す斜視図である。
【図１８】電気掃除機を使用する時の状態を示す図である。
【図１９】この発明の実施の形態２における電気掃除機の他の状態を示す斜視図である。
【図２０】この発明の実施の形態２における電気掃除機の他の状態を示す斜視図である。
【図２１】電気掃除機を使用する時の状態を示す図である。
【図２２】電気掃除機を使用する時の状態を示す図である。
【図２３】この発明の実施の形態２における電気掃除機の要部を示す側面図である。
【図２４】この発明の実施の形態２における電気掃除機の要部を示す側面図である。
【図２５】この発明の実施の形態３における電気掃除機の要部を示す斜視図である。
【図２６】電気掃除機を使用する時の状態を示す図である。
【図２７】この発明の実施の形態４における電気掃除機の要部を示す側面図である。
【図２８】この発明の実施の形態４における電気掃除機の要部を示す側面図である。
【発明を実施するための形態】
【００１０】
添付の図面を参照して、本発明を詳細に説明する。各図では、同一又は相当する部分に、同一の符号を付している。重複する説明は、適宜簡略化或いは省略する。
【００１１】
実施の形態１．
図１は、この発明の実施の形態１における電気掃除機を示す斜視図である。
図１に示すように、電気掃除機１は、本体（掃除機本体）２、ホース３、操作体４、延長管５、吸込口体６を備える。
吸込口体６は、下向きに形成された開口から、床面上のごみ（塵埃）を空気と一緒に内部に取り込む。ここで、延長管５や操作体４の吸気側の端部に形成される開口、延長管５の吸気側の端部に接続される吸込口体６や後述するブラシ７、隙間ノズル等（図示せず）、操作体４の吸気側の端部に接続されるブラシ９等を、吸込部と総称する。以後、吸込部として延長管５の吸気側端面に接続される吸込口体６を例にとり説明する。
【００１２】
延長管５は、全体として真直ぐな円筒状を呈する。延長管５の吸気側の端部は、吸込口体６に接続される。使用者は、ボタン操作或いはレバー操作を行うことにより、吸込口体６を延長管５から取り外すことができる。延長管５は、吸気側の端部に、吸込口体６を取り外した状態で使用するためのブラシ７を備える。また、使用者は、延長管５の排気側の端部に設けられたレバー８（或いは、ボタン）を操作することにより、延長管５を伸縮させることができる。
【００１３】
操作体４は、掃除を行う時に使用者が持つ部分である。使用者は、操作体４を持ち、吸込口体６を操作する。即ち、使用者は、操作体４を操作して、吸込口体６の位置及び向きを変える。操作体４の吸気側の端部は、延長管５の排気側の端部に接続される。使用者は、ボタン操作或いはレバー操作を行うことにより、延長管５を操作体４から取り外すことができる。操作体４は、吸気側の端部に、延長管５を取り外した状態で使用するためのブラシ９を備える。
【００１４】
ホース３は、要部が、可撓性を備えた蛇腹状を呈する中空の部材からなる。ホース３の吸気側の端部は、操作体４の排気側の端部に接続される。ホース３は、排気側の端部に、硬質の接続管１０を備える。
【００１５】
本体２は、ごみを含む空気（含塵空気）からごみを分離する。本体２は、ごみが取り除かれた空気（清浄空気）を排出する。空気から分離したごみは、本体２の内部に溜められる。本体２に、ホース３の接続管１０が接続される。
【００１６】
本体２は、内部に、電動送風機１１、集塵部１２を備える。
電動送風機１１は、電気掃除機１に形成された風路に、気流を発生させる。吸込口体６、延長管５、操作体４、ホース３は、内部が一続きに形成される。電動送風機１１が吸引動作を行うと、床面上のごみが空気と一緒に吸込口体６に吸い込まれる。吸込口体６に吸い込まれた含塵空気は、吸込口体６、延長管５、操作体４、ホース３の各内部を通り、本体２に送られる。
【００１７】
集塵部１２は、本体２の内部に流入したごみを空気（気流）から分離する。集塵部１２は、空気から分離したごみを捕捉する。図１は、集塵部１２の一例として、紙パック式の分離装置を示している。集塵部１２として、サイクロン式の分離装置や他の方式の分離装置を採用しても構わない。
【００１８】
本体２は、両側に大型の車輪１３を備える。また、本体２は、下面に小型の車輪（図示せず）を備える。小型の車輪は、その向きを自在に変えることができるように取り付けられている。このため、本体２は、車輪１３及び小型の車輪が床面に接触した状態で向きを変えることができる。
【００１９】
次に、図２乃至図１１も参照し、本願発明の要部である操作体４の構成について具体的に説明する。図２はこの発明の実施の形態１における電気掃除機の要部を示す側面図である。
【００２０】
操作体４は、管体１４、把持部１５、腕支持部１６を備える。
管体１４は、延長管５に接続される部分である。管体１４は、延長管５と一直線状に配置される。
【００２１】
把持部１５は、使用者が掃除する際に握る部分である。
以下においては、使用者が把持部１５を握った時に向く方向（図１のＡ方向）を基準に、操作体４の前後及び左右を特定する。また、使用者が掃除を行う時の状態（即ち、図１に示す状態）を基準に、上下を特定する。
【００２２】
本実施の形態における把持部１５は、下側把持部１７と上側把持部１８と補強用の連結部１９とから構成される。下側把持部１７及び上側把持部１８は、管体１４から上下に分岐するように形成される。上側把持部１８は、下側把持部１７の上方に配置される。また、管体１４の内部と下側把持部１７の内部とに、一続きの風路が形成される。この風路は、吸込口体６から吸い込まれた含塵空気が通過する。下側把持部１７の後側の端部に、ホース３の吸気側の端部が接続される。
【００２３】
連結部１９は、下側把持部１７の後側の端部と上側把持部１８の後側の端部とを上下に連結する。上側把持部１８は、下側把持部１７より後方に突出する。このため、連結部１９は、例えば、Ｌ字状を呈する。
【００２４】
腕支持部１６は、使用者の腕を支持する部分である。腕支持部１６は、把持部１５の側方で使用者の腕を支持する。腕支持部１６は、例えば、把持部１５の連結部１９に設けられる。腕支持部１６は、把持部１５の側方に突出するように配置される。図１及び図２は、右利き用の配置を示している。右利きの人は、把持部１５を右側から掴む。このため、把持部１５を握った腕が把持部１５の右側に配置される。腕支持部１６は、把持部１５の右側に突出するように配置される。
【００２５】
図３は、電気掃除機１を使用する時の状態を示す図である。図４及び図５は、図３の状態を側方から見た図である。図３乃至図５は、使用者が下側把持部１７を握り、腕支持部１６に腕を載せている状態を示している。腕支持部１６は、把持部１５を握った使用者の腕のうち、手首と肘との間の部分を下方から支持する。
【００２６】
図５に示すように、管体１４と下側把持部１７とは、全体として中央部で折れ曲がった筒状を呈する。下側把持部１７は、管体１４から下側に折れ曲がるように形成される。このため、下側把持部１７を握った使用者の手は、管体１４の中心軸の延長線（図５に示す直線Ｂ）より僅かに下方に配置される。また、腕支持部１６は、上面が、管体１４の中心軸の延長線より僅かに下方に配置される。このため、使用者が下側把持部１７を握って腕支持部１６に腕を載せると、使用者の腕は、延長管５の中心軸の延長線上に沿って配置される。
【００２７】
図６は、この発明の実施の形態１における電気掃除機の他の状態を示す斜視図である。図６は、腕支持部１６を左利き用に配置した状態を示している。左利きの人は、把持部１５を左側から掴む。このため、把持部１５を握った腕が把持部１５の左側に配置される。左利き用の配置では、腕支持部１６は、把持部１５の左側に突出するように配置される。
【００２８】
図７は、図６に示す電気掃除機１の要部を拡大した図である。図７に示すように、腕支持部１６は、例えば、軸２０を介して連結部１９に設けられる。腕支持部１６は、軸２０を中心に回転し、必要に応じて右利き用の位置と左利き用の位置とに配置される。操作体４には、腕支持部１６を右利き用の位置と左利き用の位置とに固定する機能が備えられている。腕支持部１６は、必要に応じてそれぞれの位置に切り替えて固定される。
【００２９】
図８は、この発明の実施の形態１における電気掃除機の他の状態を示す斜視図である。図８は、使用者が上側把持部１８を握って操作する時の位置（以下、「中央位置」ともいう）に腕支持部１６を配置した状態を示している。図９は、図８に示す電気掃除機１の要部を示す側面図である。図１０は、図８に示す電気掃除機１の要部を拡大した図である。
【００３０】
腕支持部１６は、中央位置に配置されると、上端部が上側把持部１８より上方に突出する。腕支持部１６が軸２０を介して連結部１９に設けられている場合、腕支持部１６は、軸２０を中心に回転し、必要に応じて中央位置にも配置される。また、腕支持部１６を固定する機能は中央位置にも備えられている。腕支持部１６は、必要に応じて上記右利き用の位置、左利き用の位置、中央位置に切り替えて固定される。
【００３１】
図１１は、電気掃除機１を使用する時の状態を示す図である。図１１は、使用者が上側把持部１８を握り、中央位置に配置された腕支持部１６に腕を載せている状態を示している。腕支持部１６は、把持部１５を握った使用者の腕のうち、手首と肘との間の部分を下方から支持する。
【００３２】
上記構成を有する電気掃除機１では、腕支持部１６が把持部１５の側方に突出する。このため、腕支持部１６を把持部１５から大きく突出させなくても、使用者の腕を腕支持部１６によって適切に支持することができる。腕支持部１６を備えることによって、操作性が損なわれることはない。また、腕支持部１６は、使用者の手首と肘との間の部分を下方から支持するように配置される。このため、使用者は、吸込口体６を持ち上げたり左右に動かしたりする操作を容易に行うことができる。
【００３３】
例えば、吸込口体６を床面から持ち上げる場合、使用者は、下側把持部１７を握り、腕を腕支持部１６に当てる。この時、使用者は、てこの原理を利用することにより、下側把持部１７を強く握り締めなくても吸込口体６を容易に持ち上げることができる。即ち、下側把持部１７を握っている部分を支点、腕支持部１６に腕が当たっている部分を力点、吸込口体６を作用点とすれば良い。
【００３４】
また、その状態から吸込口体６を左右に動かす場合、使用者は、下側把持部１７を握った腕の手首の部分を上側把持部１８に当てる。この時、使用者は、てこの原理を利用することにより、下側把持部１７を強く握り締めなくても吸込口体６を容易に左右に動かすことができる。即ち、下側把持部１７を握っている部分を支点、上側把持部１８に腕（手首）が当たっている部分を力点、吸込口体６を作用点とすれば良い。
【００３５】
使用者は、上側把持部１８を握り、吸込口体６を前後に移動させながら掃除を行うこともできる。この時、腕支持部１６を中央位置に固定しておけば、腕を腕支持部１６に当てて労力を軽減させることができる。
【００３６】
腕支持部１６は、右利き用の位置或いは左利き用の位置のみに配置される構成であっても構わない。しかし、上記構成の腕支持部１６であれば、把持部１５を握る腕に合わせて腕支持部１６を適切な位置に配置することができる。
腕支持部１６を把持部１５に対して着脱自在に設けても良い。かかる構成であれば、腕支持部１６を必要としない時に、腕支持部１６を把持部１５から取り外すことができる。
【００３７】
操作性を考慮すると、腕支持部１６は、ホース３が操作体４に接続される位置より後方に配置されることが好ましい。腕支持部１６を連結部１９に設けることにより、腕支持部１６を上記位置に容易に配置することができる。また、連結部１９を備えることにより、腕を支持するために必要な強度を容易に確保できる。
【００３８】
次に、図１２乃至図１６も参照し、電気掃除機１が採用し得る他の構成について説明する。
【００３９】
図１２は、電気掃除機１の他の構成例を示す斜視図である。
図１２に示すように、下側把持部１７のうち、使用者が握った際に手が当たる部分を、下側把持部１７の内部や上側把持部１８より硬度が低い材料で覆っても良い。例えば、下側把持部１７が、軟質材で被覆される。また、管体１４から下側把持部１７と上側把持部１８とに分岐する部分（以下、「分岐部分」ともいう）が、軟質材で被覆される。これにより、操作体４に滑り止めの機能を付与することができる。
軟質の材料で被覆する代わりに、操作体４の外面に多数の突起或いは多数の窪みを形成しても良い。
【００４０】
図１１に示すように、下側把持部１７の外面に、吸込口体６の方向を向く傾斜面２１を形成しても良い。傾斜面２１は、例えば、下側把持部１７の上向きの外面以外の外面に形成される。下側把持部１７に、排気側に向かうに従って徐々に太くなる部分を形成すれば、上記傾斜面２１が必然的に形成される。使用者は、下側把持部１７を握る際に指を傾斜面２１に接触させる。これにより、吸込口体６を操作する際に力が入り易くなり、操作性が向上する。
なお、傾斜面２１が下側把持部１７の下向きの外面に形成されていれば、一定の効果が期待できる。
【００４１】
図１３は、電気掃除機１の他の構成例を示す側面図である。
図１３に示すように、傾斜面２１に、凸部２２或いは凹部２３を形成しても良い。図１３は、傾斜面２１に凸部２２及び凹部２３の双方を形成する場合を一例として示している。凸部２２は、下向きの傾斜面２１から下方に突出する。凹部２３は、下向きの傾斜面２１に形成された上方への窪みである。使用者は、下側把持部１７を握る際に凸部２２或いは凹部２３に指を掛けることができる。これにより、吸込口体６を操作する際に更に力が入り易くなり、操作性が向上する。
【００４２】
図１４乃至図１６は、電気掃除機１の他の構成例を示す斜視図である。
図１４乃至図１６に示すように、操作体４の上記分岐部分に、操作体４の右側外面から左側外面に渡る窪み２４を形成しても良い。窪み２４は、使用者が下側把持部１７を握った際に手の親指の付け根から人差し指の付け根までの範囲が当たる部分に形成される。窪み２４は、下側把持部１７の上面から上側把持部１８の下面に渡って形成される。
【００４３】
窪み２４が形成されていれば、使用者が下側把持部１７を握る際に手を分岐部分に近づけても、手が痛くなることはない。分岐部分に近い位置で下側把持部１７を握ることにより、使用者の手の位置を拘束でき、操作性を向上させることができる。下側把持部１７を握った際に手が滑ることもない。
【００４４】
図１５及び図１６に示すように、腕支持部１６の外面のうち、使用者の腕に当たる面を凹状に湾曲させても良い。本実施の形態では、腕支持部１６を、右利き用の位置、左利き用の位置、中央位置に切り替えて固定できるように構成している。このため、腕支持部１６の外面のうち、それぞれの位置で上方を向く面を凹状に湾曲させている。
また、上記と同様に使用者の腕に掛かる負荷を低減させるため、腕支持部１６の外面のうち、使用者の腕に当たる面をゴム等の軟質部材で形成しても良い。
【００４５】
以下において、電気掃除機１の他の形態について説明する。言うまでもなく、本実施の形態で示した種々の構成例は、以下の実施の形態においても適用することができる。
【００４６】
実施の形態２．
図１７は、この発明の実施の形態２における電気掃除機を示す斜視図である。
図１７に示す電気掃除機１は、操作体４の具体的な構成が、実施の形態１で開示した構成と相違する。電気掃除機１のその他の構成は、実施の形態１で開示した構成と同じである。
【００４７】
本実施の形態における操作体４は、管体１４、把持部１５、腕支持部１６の他に、表示操作部２５、接続部２６を備える。
管体１４は、延長管５に接続される部分である。管体１４は、延長管５と一直線状に配置される。
【００４８】
把持部１５は、使用者が掃除する際に握る部分である。把持部１５は、管体１４に接続される。
本実施の形態における把持部１５は、実施の形態１で開示した構成のように、下側把持部１７と上側把持部１８とに分かれていない。本実施の形態における把持部１５は、実施の形態１における下側把持部１７のみを備えたものに相当する。
【００４９】
図１７に示すように、管体１４と把持部１５とは、全体として中央部で折れ曲がった筒状を呈する。把持部１５は、管体１４から下側に折れ曲がるように形成される。管体１４の内部と把持部１５の内部とに、一続きの風路が形成される。この風路は、吸込口体６から吸い込まれた含塵空気が通過する。
【００５０】
腕支持部１６は、実施の形態１で開示した機能と同様の機能を有する。腕支持部１６は、把持部１５の側方で使用者の腕を支持する。腕支持部１６は、例えば、把持部１５の後側の端部に設けられる。腕支持部１６は、把持部１５の側方に突出するように配置される。図１７は、右利き用の配置を示している。
【００５１】
図１８は、電気掃除機１を使用する時の状態を示す図である。図１８は、使用者が把持部１５を握り、腕支持部１６に腕を載せている状態を示している。腕支持部１６は、把持部１５を握った使用者の腕のうち、手首と肘との間の部分を下方から支持する。
【００５２】
表示操作部２５は、使用者が操作を行うための機能と使用者に情報を表示する機能とを備える。表示操作部２５は、管体１４と把持部１５とが接続する部分（以下、「接続部分」ともいう）に設けられる。なお、上記接続部分は、実施の形態１における分岐部分に相当する。
【００５３】
接続部２６は、把持部１５の後側の端部に設けられる。接続部２６に、ホース３の吸気側の端部が接続される。接続部２６は、ホース３の吸気側の端部が上下方向に可動するように、把持部１５とホース３とを接続する。
【００５４】
図１９は、この発明の実施の形態２における電気掃除機の他の状態を示す斜視図である。図１９は、腕支持部１６を左利き用に配置した状態を示している。左利き用の配置では、腕支持部１６は、把持部１５の左側に突出するように配置される。図１７及び図１９に示すように、腕支持部１６は、例えば、把持部１５を中心に回転し、必要に応じて右利き用の位置と左利き用の位置とに配置される。操作体４には、腕支持部１６を右利き用の位置と左利き用の位置とに固定する機能が備えられている。腕支持部１６は、必要に応じてそれぞれの位置に切り替えて固定される。
【００５５】
図２０は、この発明の実施の形態２における電気掃除機の他の状態を示す斜視図である。図２０は、腕支持部１６を中央位置に配置した状態を示している。腕支持部１６は、中央位置に配置されると、上端部が把持部１５より上方に突出する。腕支持部１６が把持部１５を中心に回転するように設けられている場合、腕支持部１６は、必要に応じて中央位置にも配置される。また、腕支持部１６を固定する機能は中央位置にも備えられている。腕支持部１６は、必要に応じて上記右利き用の位置、左利き用の位置、中央位置に切り替えて固定される。
【００５６】
図２１及び図２２は、電気掃除機１を使用する時の状態を示す図である。図２１は、使用者が把持部１５を握り、中央位置に配置された腕支持部１６に腕を載せている状態を示している。腕支持部１６は、把持部１５を握った使用者の腕のうち、手首と肘との間の部分を下方から支持する。図２２は、使用者が図２１に示す状態から吸込口体６を上方に持ち上げた状態を示している。
【００５７】
次に、図２３及び図２４も参照し、本実施の形態における電気掃除機１が採用し得る他の構成について説明する。図２３及び図２４は、この発明の実施の形態２における電気掃除機の要部を示す側面図である。図２４は、外観のみを示している。
【００５８】
図２３及び図２４に示すように、操作体４の接続部分の下面に、凸部２７或いは凹部２８を形成しても良い。図２３及び図２４は、上記接続部分に凸部２７及び凹部２８の双方を形成する場合を一例として示している。使用者は、把持部１５を握る際に凸部２７或いは凹部２８に指を掛けることができる。これにより、吸込口体６を操作する際に力が入り易くなり、操作性が向上する。
凸部２７及び凹部２８は、実施の形態１における凸部２２及び凹部２３に相当する。
【００５９】
図２３及び図２４に示すように、操作体４の接続部分に、操作体４の右側外面から上面、更に左側外面に渡る窪み２９を形成しても良い。窪み２９は、使用者が把持部１５を握った際に手の親指の付け根から人差し指の付け根までの範囲が当たる部分に形成される。窪み２９は、表示操作部２５の後方を向く面から把持部１５の上面に渡って形成される。また、窪み２９は、表示操作部２５の外周面に沿うように形成される。
窪み２９は、実施の形態１における窪み２４に相当する。
【００６０】
図２３及び図２４に示すように、把持部１５の下側の部分に、断面の横幅が急激に狭くなる絞り部３０を形成しても良い。使用者は、把持部１５を握る際に絞り部３０に指先を掛けることができる。これにより、吸込口体６を操作する際に力が入り易くなり、操作性が向上する。
【００６１】
実施の形態３．
図２５は、この発明の実施の形態３における電気掃除機の要部を示す斜視図である。図２５は、吸込口体６を示している。
【００６２】
吸込口体６は、本体３１、接続管３２、連結管３３を備える。
本体３１は、箱状を呈する。本体３１は、下面に、床面上のごみ（塵埃）を空気と一緒に内部に取り入れるための底面開口３４が形成される。本体３１は、内部に、回転ブラシ３５、電動機３６、伝達ベルト３７を備える。また、本体３１は、後側の下部に、一対の車輪３８が設けられる。
【００６３】
接続管３２は、延長管５の吸気側の端部に接続される部分である。接続管３２は、全体として、円筒状を呈する。接続管３２は、上部に、一対の端子３９を備える。端子３９は、電動機３６に電気的に接続される。
【００６４】
連結管３３は、本体３１と接続管３２とを連結する。連結管３３は、軸ａを介して本体３１に設けられる。軸ａは、底面開口３４の幅方向に水平に配置される軸である。連結管３３が軸ａを中心に回転することにより、接続管３２は、円弧状に上下に変位する。図２５のＤは、連結管３３の変位方向を示している。
【００６５】
接続管３２は、軸ｂを中心に回転可能となるように連結管３３に設けられる。軸ｂは、上方から見て軸ａと直交し、且つ、接続管３２が図５或いは図２１に示すようにある角度で斜めに配置された際に水平になる軸である。
【００６６】
図５及び図２１は、上記構成の吸込口体６を備えた電気掃除機１を示している。図５に示す構成では、管体１４から下側把持部１７と上側把持部１８とに分岐する部分が、接続管３２の中心軸の延長線上に配置される。図２１に示す構成では、管体１４と把持部１５とが接続する部分が、接続管３２の中心軸の延長線上に配置される。なお、接続管３２の中心軸は、延長管５の中心軸及び管体１４の中心軸に対して一直線状に配置される。
【００６７】
図２６は、電気掃除機１を使用する時の状態を示す図である。
上記構成の吸込口体６を備えた電気掃除機１では、使用者が把持部１５を持って手を捻るように動かすと、吸込口体６の向きを変えることができる。手を捻るために必要な力は、手の握り位置から直線Ｂ（図５参照）或いは直線Ｃ（図２１参照）までの距離が短い程、小さい。操作体４の分岐部分或いは接続部分が接続管３２の中心軸の延長線上に配置されていれば、上記距離を短くすることができる。使用者は、吸込口体６の向きを容易に変えることができる。
【００６８】
実施の形態４．
図２７及び図２８は、この発明の実施の形態４における電気掃除機の要部を示す側面図である。実施の形態１乃至３では、キャニスタータイプの電気掃除機１について説明した。本実施の形態では、スティックタイプの電気掃除機１について説明する。
【００６９】
本実施の形態における電気掃除機１は、本体（掃除機本体）４０、操作体４、延長管５、吸込口体６を備える。電気掃除機１は、本体４０を備える点で実施の形態１で開示した構成と相違する。また、電気掃除機１は、操作体４の具体的な構成が実施の形態１で開示した構成と相違する。電気掃除機１のその他の構成は、実施の形態１で開示した構成と同じである。吸込口体６については、実施の形態３で開示した構成を採用しても良い。
【００７０】
操作体４は、管体１４、把持部１５、腕支持部１６を備える。また、把持部１５は、下側把持部１７と上側把持部１８と補強用の連結部１９とから構成される。操作体４は、内部に風路が形成されていない点で実施の形態１で開示した構成と相違する。操作体４のその他の構成は、実施の形態１で開示した構成と同じである。
操作体４については、実施の形態２で開示した構成を採用しても良い。
【００７１】
本体４０は、本体２が有する機能と同様の機能を有する。本体４０は、延長管５に設けられる。本体４０は、内部に、電動送風機１１、集塵部１２を備える。電動送風機１１が吸引動作を行うと、床面上のごみが空気と一緒に吸込口体６に吸い込まれる。吸込口体６に吸い込まれた含塵空気は、吸込口体６、延長管５の各内部を通り、本体４０に送られる。本体４０では、含塵空気からごみを分離し、集塵部１２でごみを捕捉する。本体４０は、ごみが取り除かれた空気（清浄空気）を排出する。
【００７２】
図２７及び図２８に示すように、実施の形態１乃至３で開示した構成は、スティックタイプの電気掃除機１にも適用することができる。
【符号の説明】
【００７３】
１  電気掃除機、  ２  本体、  ３  ホース、  ４  操作体、  ５  延長管、  ６  吸込口体、  ７  ブラシ、  ８  レバー、  ９  ブラシ、  １０  接続管、  １１  電動送風機、  １２  集塵部、  １３  車輪、  １４  管体、  １５  把持部、  １６  腕支持部、  １７  下側把持部、  １８  上側把持部、  １９  連結部、  ２０  軸、  ２１  傾斜面、  ２２  凸部、  ２３  凹部、  ２４  窪み、  ２５  表示操作部、  ２６  接続部、  ２７  凸部、  ２８  凹部、  ２９  窪み、  ３０  絞り部、  ３１  本体、  ３２  接続管、  ３３  連結管、  ３４  底面開口、  ３５  回転ブラシ、  ３６  電動機、  ３７  伝達ベルト、  ３８  車輪、  ３９  端子、  ４０  本体
【図１】
2014087487.tif 000003
【図２】
2014087487.tif 000004
【図３】
2014087487.tif 000005
【図４】
2014087487.tif 000006
【図５】
2014087487.tif 000007
【図６】
2014087487.tif 000008
【図７】
2014087487.tif 000009
【図８】
2014087487.tif 000010
【図９】
2014087487.tif 000011
【図１０】
2014087487.tif 000012
【図１１】
2014087487.tif 000013
【図１２】
2014087487.tif 000014
【図１３】
2014087487.tif 000015
【図１４】
2014087487.tif 000016
【図１５】
2014087487.tif 000017
【図１６】
2014087487.tif 000018
【図１７】
2014087487.tif 000019
【図１８】
2014087487.tif 000020
【図１９】
2014087487.tif 000021
【図２０】
2014087487.tif 000022
【図２１】
2014087487.tif 000023
【図２２】
2014087487.tif 000024
【図２３】
2014087487.tif 000025
【図２４】
2014087487.tif 000026
【図２５】
2014087487.tif 000027
【図２６】
2014087487.tif 000028
【図２７】
2014087487.tif 000029
【図２８】
2014087487.tif 000030